【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
外気を建物の居室に給気するための給気風路と、前記居室の空気を室外に排気するための排気風路と、前記排気風路を流れる排気流と前記給気風路を流れる給気流との間で熱交換を行う熱交換器と、を備えて前記熱交換を行いながら換気を行う熱交換換気装置と、
前記居室の熱交換換気を行う際の前記居室の空気の湿度を検出する湿度センサと、
前記熱交換換気装置の動作を制御する制御部と、
を備え、
前記制御部は、
前記湿度センサで検出された前記居室の空気の湿度が予め決められた第１湿度閾値未満である場合に、浴室の空気を前記熱交換換気装置に排気流として取り込んで、前記居室の空気および前記浴室の空気を排気流として前記居室の熱交換換気を行う制御を行うこと、
を特徴とする熱交換換気システム。
【請求項２】
前記制御部は、前記居室の空気の湿度が前記第１湿度閾値よりも小さい第２湿度閾値未満である場合に、前記居室の空気および前記浴室の空気を排気流として前記居室の熱交換換気を行わせる制御を行うこと、
を特徴とする請求項１に記載の熱交換換気システム。
【請求項３】
前記居室の熱交換換気を行う際の前記外気の温度を検出する外気温度センサを備え、
前記制御部は、前記外気温度センサで検出された前記外気の温度と、予め決められた温度閾値とに基づいて現在の季節を判定し、前記居室の空気の湿度が前記第２湿度閾値以上であり、現在の季節が冬期であると判定された場合に、前記居室の空気および前記浴室の空気を排気流として前記居室の熱交換換気を行わせる制御を行うこと、
を特徴とする請求項２に記載の熱交換換気システム。
【請求項４】
前記浴室の換気を行う局所排気装置を備え、
前記制御部は、前記外気温度センサで検出された前記外気の温度と、予め決められた温度閾値とに基づいて現在の季節を判定し、前記居室の空気の湿度が前記第２湿度閾値以上であり、現在の季節が冬期以外の季節であると判定された場合に、前記居室の空気を排気流として前記居室の熱交換換気を行わせるとともに、前記局所排気装置により前記浴室の換気を行わせる制御を行うこと、
を特徴とする請求項３に記載の熱交換換気システム。
【請求項５】
前記浴室の換気を行う局所排気装置を備え、
前記制御部は、前記湿度センサで検出された前記居室の空気の湿度が予め決められた第１湿度閾値以上である場合に、前記居室の空気を排気流として前記居室の熱交換換気を行わせるとともに、前記局所排気装置により前記浴室の換気を行わせる制御を行うこと、
を特徴とする請求項１から４のいずれか１つに記載の熱交換換気システム。
【請求項６】
前記浴室の空気を前記熱交換換気装置に排気流として取り込むための風路と、
前記制御部の制御によって前記風路を開閉する風路切替部と、
を備えること、
を特徴とする請求項１から４のいずれか１つに記載の熱交換換気システム。
【請求項７】
前記制御部は、前記外気温度センサで検出された前記外気の温度と、予め決められた温度閾値とに基づいて現在の季節を判定し、前記居室の空気の湿度が前記第２湿度閾値以上であり、現在の季節が冬期以外の季節であると判定された場合に、前記居室の空気を排気流として前記居室の熱交換換気を行わせるとともに、前記浴室の空気を前記熱交換器に通さずに前記熱交換換気装置から排出させて前記浴室の換気を行わせる制御を行うこと、
を特徴とする請求項３に記載の熱交換換気システム。
【請求項８】
前記浴室の空気を前記熱交換換気装置に取り込むための浴室排気風路と、
前記制御部の制御によって、前記熱交換換気装置に取り込まれた前記浴室の空気を前記熱交換器に通して前記熱交換換気装置から排出する浴室熱交換風路に切り替える位置と、前記熱交換換気装置に取り込まれた前記浴室の空気を前記熱交換器に通さずに前記熱交換換気装置から排出するバイパス風路に切り替える位置と、前記熱交換換気装置に取り込まれた前記浴室の空気の風路を閉鎖する位置と、に変位する第２風路切替部と、
を備えること、
を特徴とする請求項７に記載の熱交換換気システム。
【手続補正２】
【補正対象書類名】明細書
【補正対象項目名】０００８
【補正方法】変更
【補正の内容】
【０００８】
上述した課題を解決し、目的を達成するために、本発明にかかる熱交換換気システムは、外気を建物の居室に給気するための給気風路と、居室の空気を室外に排気するための排気風路と、排気風路を流れる排気流と給気風路を流れる給気流との間で熱交換を行う熱交換器と、を備えて熱交換を行いながら換気を行う熱交換換気装置と、居室の熱交換換気を行う際の居室の空気の湿度を検出する湿度センサと、熱交換換気装置の動作を制御する制御部と、を備える。制御部は、湿度センサで検出された居室の空気の湿度が予め決められた第１湿度閾値未満である場合に、浴室の空気を熱交換換気装置に排気流として取り込んで、居室の空気および浴室の空気を排気流として居室の熱交換換気を行う制御を行う。
【手続補正３】
【補正対象書類名】明細書
【補正対象項目名】００１２
【補正方法】変更
【補正の内容】
【００１２】
実施の形態１．
図１は、本発明の実施の形態１にかかる熱交換換気システム１００の構成を示す図である。図１における矢印は、給排気の方向を示している。図２は、本発明の実施の形態１にかかる熱交換換気システム１００の機能構成を示すブロック図である。熱交換換気システム１００は、熱交換換気装置１０と、局所排気装置２０と、温湿度センサ３０と、外気温度センサ４０と、リモートコントローラ５０と、風路切替ダンパー６０と、を備える。
【手続補正４】
【補正対象書類名】明細書
【補正対象項目名】００２２
【補正方法】変更
【補正の内容】
【００２２】
給気風路１０６は、外気を室内へ給気するための風路であり、熱交換器１３を介して室外側吸込口１０１と室内側吹出口１０２とを結ぶ熱交換換気装置１０内の風路である。排気風路１０７は、還気である室内空気を室外へ排気するための風路であり、熱交換器１３を介して室内側吸込口１０３と室外側吹出口１０４とを結ぶ熱交換換気装置１０内の風路である。給気風路１０６と排気風路１０７とは、互いに独立した風路となっている。
【手続補正５】
【補正対象書類名】明細書
【補正対象項目名】００２５
【補正方法】変更
【補正の内容】
【００２５】
また、熱交換換気装置１０での熱交換器１３を利用した換気においては、排気用送風機１２を運転することにより、室内空気は、室内側排気ダクト１１３を介して室内側吸込口１０３から矢印Ｃのように吸い込まれ、排気風路１０７および熱交換器１３を通り、排気用送風機１２により室外側吹出口１０４から矢印Ｄのように吹き出され、室外側排気ダクト１１４を介して屋外に排気される。
【手続補正６】
【補正対象書類名】明細書
【補正対象項目名】００３３
【補正方法】変更
【補正の内容】
【００３３】
温湿度センサ３０の設置場所は、排気される室内空気の温度および湿度を検出できれば、特に限定されない。たとえば、温湿度センサ３０が熱交換換気装置１０の筐体１０５の内部に配置される。この場合は、温湿度センサ３０は、室内側吸込口１０３から熱交換換気装置１０の内部に取り込まれた室内空気の温度および湿度を、排気風路１０７における熱交換器１３よりも上流側の位置で検出する。また、温湿度センサ３０が室内に配置される場合には、温湿度センサ３０は、室内側吸込口１０３から熱交換換気装置１０の内部に取り込まれる室内空気の温度および湿度を検出する。本実施の形態１では、温湿度センサ３０は、熱交換換気装置１０の筐体１０５の内部に配置されるものとする。
【手続補正７】
【補正対象書類名】明細書
【補正対象項目名】００３６
【補正方法】変更
【補正の内容】
【００３６】
外気温度センサ４０の設置場所は、給気される外気の温度を検出できれば、特に限定されない。たとえば、外気温度センサ４０が熱交換換気装置１０の筐体１０５の内部に配置される。この場合は、外気温度センサ４０は、室外側吸込口１０１から熱交換換気装置１０の内部に取り込まれた外気の温度を、給気風路１０６における熱交換器１３よりも上流側の位置で検出する。また、外気温度センサ４０が屋外に配置される場合には、外気温度センサ４０は、室外側吸込口１０１から熱交換換気装置１０の内部に取り込まれる屋外の外気の温度を検出する。本実施の形態１では、外気温度センサ４０は、熱交換換気装置１０の筐体１０５の内部に配置されるものとする。
【手続補正８】
【補正対象書類名】明細書
【補正対象項目名】００４１
【補正方法】変更
【補正の内容】
【００４１】
なお、熱交換換気システム１００における各構成部同士は、制御に必要な情報を互いに通信可能とされている。この通信は、熱交換換気システム１００における各構成部同士の通信は、有線通信であってもよく、無線通信であってもよい。
【手続補正９】
【補正対象書類名】明細書
【補正対象項目名】００６５
【補正方法】変更
【補正の内容】
【００６５】
また、熱交換換気システム１００では、排気取込口７２、排気取込口７２に接続する室内側排気ダクト１１３および風路切替ダンパー６０を設けるだけで上記の機能を実現可能であり、送風機、複数のダクト配管、複数のグリルといった部品の設置が不要である。したがって、低コストで上記の機能を実現可能である。また、構成が複雑となることがないため、天井裏スペースの圧迫、インテリア性の低下が生じない。